(57)【要約】      （修正有）【課題】従来の蓋体の取り外しの容易さを確保するとともに、幼児等のいたずらによる取り外しの試みに対してはその取り外しを防止するチャイルドレジスタンス機能を備えるロック機構付き箱型容器を提供する。【解決手段】有底角筒状からなる容器本体１と、容器本体１の開口端に組み付く内枠部１１を有すると共に内枠部１１の内側に開口部１２が形成された内蓋１０と、内枠部１１の上に嵌着される外枠部２１を有すると共に開閉可能に装着された外蓋２０と、外蓋２０に対して摺動自在に設けられたスライド機構３０と、を備えた箱型容器であって、スライド機構３０が外蓋２０の一端側の外枠部２１に達することにより外蓋２０を開蓋不能なロック状態に設定し、スライド機構３０が外蓋２０の他端側の外枠部２１に達することによりロック状態が解除されて外蓋２０の開蓋を可能にするロック機構が設けられた構成とする。【選択図】図４
2019131242.tif 000002
【特許請求の範囲】
【請求項１】
有底角筒状からなる容器本体（１）と、該容器本体（１）の開口端（２）に組み付く内枠部（１１）有すると共に該内枠部（１１）の内側に開口部（１２）が形成された内蓋（１０）と、前記内枠部（１１）の上に嵌着される外枠部（２１）を有すると共に開閉可能に装着された外蓋（２０）と、該外蓋（２０）に対して摺動自在に設けられたスライド機構（３０）と、を備えた箱型容器であって、
前記スライド機構（３０）が前記外蓋（２０）の一端側の外枠部（２１）に達することにより前記外蓋（２０）を開蓋不能なロック状態に設定し、前記スライド機構（３０）が前記外蓋（２０）の他端側の外枠部（２１）に達することにより前記ロック状態が解除されて前記外蓋（２０）の開蓋を可能にするロック機構が設けられていることを特徴とするロック機構付き箱型容器。
【請求項２】
スライド機構（３０）は、外蓋（２０）の頂壁（２２）に沿って摺動自在に設けられたスライド板（３１）と、該スライド板（３１）の前端及び後端の両側部に形成された一対の案内リブ（３２）と、外枠部（２１）の両内壁部（２１ａ）に、前記スライド板（３１）の摺動方向に沿って夫々形成された外枠側案内長孔（２４）と、前記内枠部（１１）の一方の内壁部（１１ａ）に、前記摺動方向に沿って形成された内枠側案内長孔（１６）と、を有して構成され、
後端の案内リブ（３２）が前記外枠側案内長孔（２４）に挿入され、前端の案内リブ（３２）が前記外枠側案内長孔（２４）と前記内枠側案内長孔（１６）の双方に挿入されることで、前記スライド板（３１）が摺動方向に案内される請求項１記載のロック機構付き箱型容器。
【請求項３】
ロック機構が、外枠部（２１）の一端に形成された外側第１貫通孔（２５）及び内枠部（１１）の一端に形成された内側貫通孔（１３）と、スライド板（３１）の一端に突設された係止突起（３３）とを有して構成され、前記スライド板（３１）が一端側に摺動して前記係止突起（３３）が連通状態にある前記外側第１貫通孔（２５）及び前記内側貫通孔（１３）の双方に挿入することで前記外蓋（２０）の開蓋が規制され、前記スライド板（３１）が他端側に摺動して前記係止突起（３３）が前記外側第１貫通孔（２５）及び前記内側貫通孔（１３）から抜脱することで前記規制が解除される第１ロック機構を有する請求項２記載のロック機構付き箱型容器。
【請求項４】
内枠側案内長孔（１６）に連設される開放部（１７）が外枠部（２１）の内壁部（２１ａ）側の端部に形成されており、ロック機構が、一端側に移動したスライド板（３１）の前端の案内リブ（３２）が外枠側案内長孔（２４）と前記内枠側案内長孔（１６）の双方に挿入されることで外蓋（２０）の開蓋が規制され、前記スライド板（３１）が他端に移動し、前記スライド板（３１）の前端の案内リブ（３２）が内枠側案内長孔（１６）から前記開放部（１７）内に移動することで前記規制が解除される第２ロック機構を有する請求項２又は３記載のロック機構付き箱型容器。
【請求項５】
ロック機構が、外枠部（２１）に設けられた外側第２貫通孔（２６）及び係止凹部（２７）と、内枠部（１１）に設けられた付勢部材（１４）に形成されて前記係止凹部（２７）に係合することにより外蓋（２０）の開蓋を規制する係止凸部（１４ｂ）と、スライド板（３１）の他端に突設された押圧突起（３４）とを有して構成され、前記スライド板（３１）が摺動して前記押圧突起（３４）が外側第２貫通孔（２６）を介して前記係止凸部（１４ｂ）を押圧することで、前記係合による規制が解除される第３ロック機構を有する請求項２乃至４のいずれか一項に記載のロック機構付き箱型容器。
【請求項６】
内蓋（１０）側の開口部（１２）に連通し且つスライド板（３１）の移動に応じて露出する窓部（２２ａ）が外蓋（２０）に形成されている請求項１乃至５のいずれか一項に記載のロック機構付き箱型容器。
【請求項７】
内枠体（１１）と外枠体（２１）とがヒンジ（４０）を介して連結されており、前記外蓋（２０）が内蓋（１０）に対して開閉自在に設けられている請求項１乃至６のいずれか一項に記載のロック機構付き箱型容器。
【発明の詳細な説明】
【技術分野】
【０００１】
本発明は、蓋体を備えた箱型容器に関し、特に幼児等がいたずらに蓋体を開けることを防止するチャイルドレジスタンス機能を備えたロック機構付き箱型容器に関する。
【背景技術】
【０００２】
従来の容器は、使用したい時に直ぐに蓋体を取り外せるように、単純な嵌合構造を有するものが多く、蓋体の取り外し易さと装着し易さに着眼したものが多かった（例えば、特許文献１参照）。しかしながら、このように蓋体の取り外し易さと装着し易さのみに重点をおいたため、結果的に蓋体を引っ張る操作だけで、誰にでも蓋体を簡単に取り外すことができ、内容物の取り出しが自由に行えるようになってしまっている。
【０００３】
使用者が収納又は充填される内容物の特性を十分に理解している通常の使用状況においては、このような蓋体の取り外し易さは便利なものであってなんら問題は無く、とても望ましい形態である。しかしながら、収納又は充填される内容物の特性を十分に理解しえない者でも簡単に蓋体の取り外しが行えるという懸念を併せ持つことになる。
【０００４】
すなわち、例えば幼児等が周囲の大人のしぐさをまねて、中身の内容物の危険度を理解しないままに、容器の蓋体を外し、内容物にいたずらをすることが起こりうる。
こうした問題に対応するために充填する容器又はその蓋体に、幼児等では容易に取り外しのできない機能、即ち、所謂チャイルドレジスタンス機能を付与することが求められている。このチャイルドレジスタンス機能を有する容器は、例えば、従来技術である容器の蓋体が、ただ単に蓋体と容器本体とを引き離す方向に蓋体を引っ張る操作だけで取り外せるのに対し、ただ蓋体を引っ張る操作だけでは蓋体を取り外せず、蓋体を引っ張る前に又は同時に蓋体を引っ張るのとは別の操作を蓋体等に対して行い、それによって蓋体を取り外すように構成されている。
【０００５】
チャイルドレジスタンス機能のための蓋体等に対して行われる操作は、従来の閉蓋具における蓋体取り外し操作に比べ、複雑になり過ぎず、従来の蓋体の取り外しの容易さは十分確保すると共に、幼児等のいたずらによる取り外しの試みに対しては十分その防止をできるものでなければならない。
【先行技術文献】
【特許文献】
【０００６】
【特許文献１】実開平３−１７０５６号公報
【発明の概要】
【発明が解決しようとする課題】
【０００７】
本発明は、上記した従来技術における問題点を解消すべく、従来の蓋体の取り外しの容易さを確保するとともに、幼児等のいたずらによる取り外しの試みに対してはその取り外しを防止するチャイルドレジスタンス機能を備えるロック機構付き箱型容器を創出することを課題とする。
【課題を解決するための手段】
【０００８】
上記課題を解決するための手段のうち、本発明の主たる手段は、
有底角筒状からなる容器本体と、容器本体の開口端に組み付く内枠部有すると共に内枠部の内側に開口部が形成された内蓋と、内枠部の上に嵌着される外枠部を有すると共に開閉可能に装着された外蓋と、外蓋に対して摺動自在に設けられたスライド機構と、を備えた箱型容器であって、
スライド機構が外蓋の一端側の外枠部に達することにより外蓋を開蓋不能なロック状態に設定し、スライド機構が外蓋の他端側の外枠部に達することによりロック状態が解除されて外蓋の開蓋を可能にするロック機構が設けられていることを特徴とする、と云うものである。
【０００９】
本発明の主たる手段では、外蓋を嵌着させた閉蓋状態において、スライド機構を摺動方向の一端（右端）に移動させることで外蓋をロックすることができ、またスライド機構を摺動方向の他端（左端）に移動させることによりロック状態を解除して開蓋が可能となるため、幼児等のいたずらによる取り外しを防止するチャイルドレジスタンス機能を実現することができる。
【００１０】
本発明の他の手段は、本発明の主たる手段に、スライド機構は、外蓋の頂壁に沿って摺動自在に設けられたスライド板と、スライド板の前端及び後端の両側部に形成された一対の案内リブと、外枠部の両内壁部に、スライド板の摺動方向に沿って夫々形成された外枠側案内長孔と、内枠部の一方の内壁部に、摺動方向に沿って形成された内枠側案内長孔と、を有して構成され、
後端の案内リブが外枠側案内長孔に挿入され、前端の案内リブが外枠側案内長孔と内枠側案内長孔の双方に挿入されることで、スライド板が摺動方向に案内される、との手段を加えたものである。
【００１１】
上記手段では、スライド板を、外枠部の両側に設けた外枠側案内長孔及び内枠部に設けた内枠側案内長孔によって案内すること構成とすることにより、スライド板をスムーズに摺動させることができる。
【００１２】
また本発明の他の構成は、上記いずれかの構成に、ロック機構が、外枠部の一端に形成された外側第１貫通孔及び内枠部の一端に形成された内側貫通孔と、スライド板の一端に突設された係止突起とを有して構成され、スライド板が一端側に摺動して係止突起が連通状態にある外側第１貫通孔及び内側貫通孔の双方に挿入することで外蓋の開蓋が規制され、スライド板が他端側に摺動して係止突起が外側第１貫通孔及び内側貫通孔から抜脱することで規制が解除される第１ロック機構を有する、との手段を加えたものである。
【００１３】
上記手段では、箱型容器の一端（右端）に、開蓋を規制するロック機構を設けることができる。
【００１４】
また本発明の他の構成は、上記いずれかの構成に、内枠側案内長孔に連設される開放部が外枠部の内壁部側の端部に形成されており、ロック機構が、一端側に移動したスライド板の前端の案内リブが外枠側案内長孔と内枠側案内長孔の双方に挿入されることで外蓋の開蓋が規制され、スライド板が他端に移動し、スライド板の前端の案内リブが内枠側案内長孔から開放部内に移動することで規制が解除される第２ロック機構を有する、との手段を加えたものである。
【００１５】
上記手段では、箱型容器の前端に、開蓋を規制するロック機構を設けることができる。
【００１６】
また本発明の他の構成は、上記いずれかの構成に、ロック機構が、外枠部に設けられた外側第２貫通孔及び係止凹部と、内枠部に設けられた付勢部材に形成されて係止凹部に係合することにより外蓋の開蓋を規制する係止凸部と、スライド板の他端に突設された押圧突起とを有して構成され、スライド板が摺動して押圧突起が外側第２貫通孔を介して係止凸部を押圧することで、係合による規制が解除される第３ロック機構を有する、との手段を加えたものである。
【００１７】
上記手段では、箱型容器の他端（左端）に、開蓋を規制するロック機構を設けることができる。
【００１８】
また本発明の他の構成は、上記いずれかの構成に、内蓋側の開口部に連通し且つスライド板の移動に応じて露出する窓部が外蓋に形成されている、との手段を加えたものである。
【００１９】
上記手段では、外蓋を開蓋状態としなくとも、スライド板を移動させて窓部を露出させるだけで、内容物を少量ずつ取り出すことが可能となる。
【００２０】
また本発明の他の構成は、上記いずれかの構成に、内枠体と外枠体とがヒンジを介して連結されており、外蓋が内蓋に対して開閉自在に設けられている、との手段を加えたものである。
【００２１】
上記手段では、外蓋と内蓋とを一体成形することが可能となり、部分点数を削減できると共に、一度に多くの内容物を取り出すことが可能となる。
【発明の効果】
【００２２】
本発明は、上記した構成となっているので、以下に示す効果を奏する。
本発明の主たる構成においては、箱型容器の３箇所にロックする構成を設けたことにより、幼児等のいたずらによる取り外しを防止するチャイルドレジスタンス機能を実現することができる。
またスライド部材を他端に移動させるだけで全てのロック機構を解除することができるため、従来における蓋体の取り外しの容易さをも確保することができる。
【図面の簡単な説明】
【００２３】
【図１】本発明の実施例としてのロック機構付き箱型容器の外観を示す斜視図である。
【図２】ロック機構付き箱型容器の平面図である。
【図３】開蓋状態を示す箱型容器の斜視図である。
【図４】開蓋状態を図３とは異なる方向から示す斜視図である。
【図５】内蓋を下方から示す斜視図である。
【図６】スライド板を取り除いた状態の外蓋を示す斜視図である。
【図７】外蓋を図６とは異なる方向から示す斜視図である。
【図８】スライド板を示す斜視図である。
【図９】図２のＩＸ−ＩＸ線における箱型容器の断面図である。
【図１０】第１ロック機構を示す図２のＸ−Ｘ線断面図であり、Ａはロック状態、Ｂはロック解除中の状態、Ｃは解除後の非ロック状態である。
【図１１】第２ロック機構を示し、Ａはロック状態を示す図２のＸＩａ−ＸＩａ線断面図、Ｂはロック解除中の状態を示す図２のＸＩｂ−ＸＩｂ線断面図、Ｃは解除後の非ロック状態を示す図２のＸＩｂ−ＸＩｂ線断面図である。
【図１２】第３ロック機構を示す図２のＸＩＩ−ＸＩＩ線断面図であり、Ａはロック状態、Ｂはロック解除中の状態、Ｃは解除後の非ロック状態である。
【発明を実施するための形態】
【００２４】
以下、本発明の実施の形態について図面を参照しつつ説明する。
図１は本発明の実施例としてのロック機構付き箱型容器の外観を示す斜視図、図２はロック機構付き箱型容器の平面図、図３は開蓋状態を示す箱型容器の斜視図、図４は開蓋状態を図３とは異なる方向から示す斜視図、図５は内蓋を下方から示す斜視図、図６はスライド板を取り除いた状態の外蓋を示す斜視図、図７は外蓋を図６とは異なる方向から示す斜視図、図８はスライド板を示す斜視図、図９は図２のＩＸ−ＩＸ線における箱型容器の断面図である。
尚、以下の説明においては、図中に示すｘ方向を左右方向（摺動方向ともいう）、ｙ方向を前後方向と規定する。また左右方向（摺動方向）のうち窓部２２ａを有する側を一端又は右端、その逆側を他端又は左端と規定し、さらに前後方向のうちヒンジ４０を有する側を後側又は後端、その逆のヒンジを有しない側を前側又は前端と規定する。さらに容器本体の開口端側を上方とし、その逆の底部側を下方と規定する。
【００２５】
図中に示す箱型容器Ａは、容器本体１、内蓋１０、外蓋２０及びスライド機構３０を有して構成され、これらは合成樹脂材料を射出成形することにより形成されている。
容器本体１は、平面視略長方形状からなる有底角筒状（箱型形状）の容器であり、上方に設けられる開口端２の外縁には外側に向けて水平に形成されたフランジ３が周設されている（図９参照）。この容器本体１には、例えば粉体状に形成した又はフィルムによって覆われた液体を略ボール状に形成した洗剤等の内容物が収納される。
【００２６】
図３、図４又は図５等に示すように、内蓋１０は平面視略長方形状に形成された内枠部１１を有する部材であり、内枠部１１の内側には開口部１２が設けられている。内枠部１１は、互いに略平行に配置された内壁部１１ａと外壁部１１ｂ及びこれらを連結する上壁部１１ｃを有して断面略コの字状に一体に形成されており、図９に示すように内枠部１１を容器本体１側のフランジ３に嵌合させることにより、内蓋１０は容器本体１の開口端２に組み付けられる。
図５に示すように、内枠部１１の一端（右端）には内壁部１１ａを貫通する内側貫通孔１３が形成され、他端には付勢部材１４が形成されている。付勢部材１４は内壁部１１ａの一部にＬ字状のスリット１５を入れることにより形成され、スリット１５の基端となる支点部１４ａにて片持ち状態で弾性的に支持されている。付勢部材１４の自由端（先端）側には、内方（開口部１２方向）に向けて突出する係止凸部１４ｂが形成されている。この付勢部材１４は支点部１４ａを支点に自由端側の係止凸部１４ｂが略左右方向に揺動することが可能に構成されている。
【００２７】
また前側に位置する内枠部１１の内壁部１１ａには、この内壁部１１ａに沿って直線的に延びるスリット状の内枠側案内長孔１６が形成され、この内枠側案内長孔１６の他端には内壁部１１ａを大きく切り欠くことにより形成された開放部１７が連設されている。内枠側案内長孔１６は後述するようにスライド機構３０の一部を構成する。尚、内蓋１０では、後側に位置する内枠部１１の内壁部１１ａに内枠側案内長孔は設けられていない。
【００２８】
図２、図６又は図７等に示すように、外蓋２０は、平面視略長方形状に形成された外枠部２１の内側に頂壁２２を有する部材であり、外枠部２１と頂壁２２との間には陥没状に形成された堀部２３が平面視略角状に周設されている。
外枠部２１は、互いに対向配置された内壁部２１ａと外壁部２１ｂ及びこれらを連結する上壁部２１ｃを有して断面略コの字状に形成されており、外枠部２１を内蓋１０側の内枠部１１上に嵌着させることにより、内蓋１０の開口部１２が閉塞され、箱型容器Ａ全体を閉蓋状態とすることが可能となっている（図１参照）。
頂壁２２の一端（右端）側には角状に開口する窓部２２ａが形成され、この窓部２２ａを通じて容器本体１内に収納されている内容物を取り出すことが可能とされている。また外枠部２１の前後両方向に位置する外枠部２１の内壁部２１ａには、これら内壁部２１ａに沿って直線的に延びるスリット状の外枠側案内長孔２４が夫々形成されている。これら外枠側案内長孔２４は、後述するようにスライド機構３０の一部を構成する。
【００２９】
図６に示すように、外枠部２１の一端（右端）の内壁部２１ａには、内枠部１１の上に外枠部２１を組み付けた嵌着状態において内蓋１０側の内枠部１１に形成された内側貫通孔１３に連通する外側第１貫通孔２５が形成されている。尚、外側第１貫通孔２５の上壁は内側貫通孔１３の上壁よりも低い寸法で形成されており、外側第１貫通孔２５の上壁と内側貫通孔１３の上壁との間には段差部Ｓが形成されている（図１０Ａ乃至Ｃ参照）。
【００３０】
図７に示すように、外枠部２１の他端（左端）の内壁部２１ａ上で、且つ嵌着状態において内蓋１０側の内枠部１１に形成された係止凸部１４ｂに対向する位置には、外側第２貫通孔２６が形成され、この内壁部２１ａの裏面側には係止凸部１４ｂと係合可能に設けられた係止凹部２７が形成されている（図１２Ａ乃至Ｃ参照）。
本実施例に示す内蓋１０と外蓋２０とは一体成形され、図２、図３又は図９に示すように、箱型容器Ａの後端の位置において内枠部１１と外枠部２１との間がヒンジ４０を介して一体に連結されており、外蓋２０は内蓋１０に対して回動自在に設けられている。
【００３１】
また本実施例のスライド機構３０は、平板状に形成されたスライド板３１を主体とし、これに上述した内蓋１０に形成された内枠側案内長孔１６と、外蓋２０に形成された一対の外枠側案内長孔２４とを有して構成されている。
図８に示すように、スライド板３１の前端及び後端の両側部には、スライド板３１の底面に略Ｌ字形状に形成され且つ左右方向（摺動方向）に所定の幅寸法Ｌ１を有して成る一対の案内リブ３２が夫々形成されている。案内リブ３２の幅寸法Ｌ１は、内蓋１０に形成された開放部１７の左右方向の長さ寸法Ｌ２（図４参照）よりも短い寸法で形成されている（Ｌ１＜Ｌ２）。
スライド板３１は外蓋２０の頂壁２２上に配置される。図９に示すように、案内リブ３２は一対に設けられ、前端側は長く、後端側は短く形成されている。前端では案内リブ３２が外枠部２１の外枠側案内長孔２４と内枠部１１の内枠側案内長孔１６の双方に挿入され、後端では案内リブ３２が外枠部２１の外枠側案内長孔２４のみに挿入されている。そして、スライド板３１は前端の案内リブ３２が外枠側案内長孔２４と内枠側案内長孔１６に、後端の案内リブ３２が外枠側案内長孔２４にそれぞれ案内されることにより、左右方向（摺動方向）に水平姿勢を維持しながらスムーズに移動できるように構成されている。
【００３２】
また図８に示すようにスライド板３１の一端（右端）には係止突起３３が、他端（左端）には押圧突起３４が夫々突設されている。係止突起３３の先端の上面にはアンダーカット状に形成された係止片３３ａが形成されている。後述するように、スライド板３１が一端（右端）方向に移動することにより係止突起３３が連通状態にある内側貫通孔１３と外側第１貫通孔２５に挿入可能であり（図１０Ａ参照）、スライド板３１が他端（左端）方向に移動することにより押圧突起３４が外側第２貫通孔２６に挿入可能となっている（図１２Ｂ参照）。
【００３３】
次に、箱型容器Ａの動作について説明する。
図１０は第１ロック機構を示す図２のＸ−Ｘ線断面図であり、Ａはロック状態、Ｂはロック解除中の状態、Ｃは解除後の非ロック状態である。また図１１は第２ロック機構を示し、Ａはロック状態を示す図２のＸＩａ−ＸＩａ線断面図、Ｂはロック解除中の状態を示す図２のＸＩｂ−ＸＩｂ線断面図、Ｃは解除後の非ロック状態を示す図２のＸＩｂ−ＸＩｂ線断面図である。さらに図１２は第３ロック機構を示す図２のＸＩＩ−ＸＩＩ線断面図であり、Ａはロック状態、Ｂはロック解除中の状態、Ｃは解除後の非ロック状態である。
【００３４】
容器本体１のフランジ３に内蓋１０の内枠部１１を嵌合させ、さらにその上から外蓋２０の外枠部２１を嵌着させることにより、箱型容器Ａを閉蓋状態に設定する（図１参照）。
スライド板３１を摺動させ、スライド板３１の一端（右端）が外蓋２０の内壁部２１ａに当接する位置まで移動させた状態（ロック状態）に設定する。
この状態では、図１０Ａに示すように、箱型容器Ａの一端（右端）の位置では、スライド板３１の一端（右端）に設けられている係止突部３３が連通状態にある内側貫通孔１３と外側第１貫通孔２５に挿入されている。そして、係止片３３ａが内側貫通孔１３の上壁と外側第１貫通孔２５の上壁との間に形成された段差部Ｓに係合し、係止突部３３が内側貫通孔１３及び外側第１貫通孔２５内から抜脱できない状態にある。よって、箱型容器Ａの一端（右端）は、外枠部２１と内枠部１１とが分離不能に組み付き、外蓋２０の開封を阻止するロック状態に設定されている。このように、上記係止片３３ａ、内側貫通孔１３及び外側第１貫通孔２５は、箱型容器Ａの一端（右端）において外蓋２０の開封を阻止する第１ロック機構を構成している。
【００３５】
また図１１Ａに示すように、箱型容器Ａの前端の位置では、スライド板３１の案内リブ３２が連通状態にある外枠部２１の外枠側案内長孔２４と内枠部１１の内枠側案内長孔１６の双方に挿入されて係合することにより、外枠部２１と内枠部１１とが分離不能に組み付くロック状態に設定されている。このように、案内リブ３２、外枠側案内長孔２４及び内枠側案内長孔１６は、箱型容器Ａの前端において外蓋２０の開封を阻止する第２ロック機構を構成している。
【００３６】
さらに図１２Ａに示すように、箱型容器Ａの他端（左端）の位置では、内枠部１１側の内壁部１１ａの付勢部材１４に設けた係止凸部１４ｂが、付勢された状態で外枠部２１側の内壁部２１ａの裏面に設けられた係止凹部２７を弾圧し、係止凸部１４ｂと係止凹部２７とが係合している。よって、箱型容器Ａの他端（左端）でも外枠部２１と内枠部１１とが離脱不能に組み付いたロック状態に設定されている。このように、内枠部１１側の付勢部材１４に設けた係止凸部１４ｂと外枠部２１側の係止凹部２７とは、箱型容器Ａの他端（左端）において外蓋２０の開封を阻止する第３ロック機構を構成している。
【００３７】
このように、本発明の箱型容器Ａでは、スライド板３１を最も一端（右端）に移動させたロック状態にすることにより、ヒンジ４０を有する後端を除く右端、前端及び左端において内蓋１０と外蓋２０との間をロックして箱型容器Ａの開蓋を不可能とすることができる。よって、幼稚等は箱型容器Ａを簡単に開封することができず、結果としていたずらによる取り外しを防止することができる。
【００３８】
次に、内容物を箱型容器Ａから取り出す動作について説明する。
図１０Ｂに示すように、箱型容器Ａの前端の位置において、スライド板３１の一端（右端）を下方に押圧して撓み変形させ、係止片３３ａと段差部Ｓとの係合を解除させる。次に図１０Ｃに示すように、スライド板３１を他端（左端）方向（図示矢印方向）に摺動させ、係止突起３３を内側貫通孔１３及び外側第１貫通孔２５から抜脱させることにより第１ロック機構のロック状態を解除する（非ロック状態）。さらに続けてスライド板３１を他端（左端）方向に向けて移動させることにより、外蓋２０の頂壁２２に形成されている窓部２２ａを露出させることができる（図２参照）。よって、窓部２２ａを通じて容器本体１内に収納されている内容物を少量ずつ取り出すことが可能となる。
【００３９】
次に、スライド板３１を摺動させて、スライド板３１の他端（左端）が外蓋２０の内壁部２１ａに当接する他端（左端）側の位置まで移動させる。すると、箱型容器Ａの前端の位置では、スライド板３１の案内リブ３２が、内枠側案内長孔１６内の位置（図１１Ａ参照）から開放部１７内の位置（図１１Ｂ参照）に達し、案内リブ３２と内枠側案内長孔１６との係合が解除されるため、第２ロック機構を非ロック状態とすることができる。
さらに、図１２Ａ及び図１２Ｂに示すように、スライド板３１の他端（左端）が外蓋２０の内壁部２１ａに当接すると、押圧突起３４が外側第２貫通孔２６に挿入し、その裏面側に位置する係止凸部１４ｂが押し込まれて係止凸部１４ｂと係止凹部２７とが係合が解除されるため、第３ロック機構を非ロック状態とすることができる。
【００４０】
このように、スライド板３１を他端（左端）側に移動させることにより、第１ロック機構、第２ロック機構及び第３ロック機構のすべてを解除することができる。
よって、図１０Ｃ、図１１Ｃ及び図１２Ｃに示すように、後端に設けられたヒンジ４０を支点として外蓋２０を回動させると、外枠部２１と内枠部１１との嵌合が解除されるため、外蓋２０を開蓋状態（図３、図４又は図９の破線参照）とすることができる。よって、一度に多くの内容物を、内枠部１１の開口部１２を通じて取り出すことが可能となる。
【００４１】
以上、実施例に沿って本発明の構成とその作用効果について説明したが、本発明の実施の形態は上記実施例に限定されるものではない。
【００４２】
例えば、上記実施例では外蓋２０に窓部２２ａを有する構成を示して説明したが、窓部２２ａを有さない構成とし、外蓋２０の開蓋操作のみで内容物を取り出すようにしても良い。
【００４３】
また上記実施例では内蓋１０と外蓋２０とがヒンジ４０を介して一体に連結された構成を示して説明したが、ヒンジを有さない構成、すなわち内蓋１０と外蓋２０とが別部材からなる構成であっても良い。
【００４４】
また上記実施例では、ロック機構として、第１乃至第３ロック機構のすべてを有する構成を示して説明したが、少なくとも一つ以上のロック機構を有する構成であっても良い。
【００４５】
また上記実施例では、窓部２２ａを有する右端を一端と規定し、その逆側の左端を他端と規定したが、一端を左端とし、その逆の他端を右端とする構成であっても良い。
【産業上の利用可能性】
【００４６】
本発明のロック機構付き箱型容器は、蓋体の開蓋を規制するロック機構を有する箱型容器の分野における用途展開をさらに広い領域で図ることができる。
【符号の説明】
【００４７】
１    ：  容器本体
２    ：  開口端
３    ：  フランジ
１０    ：  内蓋
１１    ：  内枠部
１１ａ  ：  内壁部
１１ｂ  ：  外壁部
１１ｃ  ：  上壁部
１２    ：  開口部
１３    ：  内側貫通孔
１４    ：  付勢部材
１４ａ  ：  支点部
１４ｂ  ：  係止凸部
１５    ：  スリット
１６    ：  内枠側案内長孔（スライド機構）
１７    ：  開放部
２０    ：  外蓋
２１    ：  外枠部
２１ａ  ：  内壁部
２１ｂ  ：  外壁部
２１ｃ  ：  上壁部
２２    ：  頂壁
２２ａ  ：  窓部
２３    ：  堀部
２４    ：  外枠側案内長孔（スライド機構）
２５    ：  外側第１貫通孔
２６    ：  外側第２貫通孔
２７    ：  係止凹部
３０    ：  スライド機構
３１    ：  スライド板
３２    ：  案内リブ
３３    ：  係止突起
３３ａ  ：  係止片
３４    ：  押圧突起
４０  ：  ヒンジ
Ａ    ：  箱型容器
Ｌ１  ：  案内リブの幅寸法
Ｌ２  ：  開放部の長さ寸法
Ｓ      ：  段差部
【図１】
2019131242.tif 000003
【図２】
2019131242.tif 000004
【図３】
2019131242.tif 000005
【図４】
2019131242.tif 000006
【図５】
2019131242.tif 000007
【図６】
2019131242.tif 000008
【図７】
2019131242.tif 000009
【図８】
2019131242.tif 000010
【図９】
2019131242.tif 000011
【図１０】
2019131242.tif 000012
【図１１】
2019131242.tif 000013
【図１２】
2019131242.tif 000014